【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
光画像形成性組成物であって、
（Ｉ）無機材料の微粉砕粒子であり、
（ａ）導電性粒子、抵抗性粒子、および誘電性粒子から選択される機能相粒子と、
（ｂ）ガラス転移温度が３２５〜６００℃の範囲にあり、表面積の重量に対する比が１０ｍ２／ｇ以下であり、粒子の少なくとも８５重量％が０．１〜１０μｍの粒径を有する無機バインダーと
を含む微粉砕粒子が、
（ＩＩ）有機媒体であり、
（ｃ）コポリマー、インターポリマー、またはそれらの混合物である水性現像可能な光架橋性ポリマーであり、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記カルボン酸含有部分の２〜２０％が、第１および第２の官能性単位を有する反応性分子と反応し、前記第１の官能性単位はビニル基であり、前記第２の官能性単位は、前記カルボン酸部分と反応することによって化学結合を形成して、全ポリマー重量の少なくとも１０重量％の酸含有率を有し、ガラス転移温度が５０〜１５０℃の範囲にあり、重量平均分子量が２，０００〜２５０，０００の範囲にある前記コポリマー、インターポリマー、または混合物を形成することができる水性現像可能な光架橋性ポリマーと、
（ｄ）光開始系と、
（ｅ）フォトスピード促進剤(photospeed enhancer)であり、前記促進剤は、ステアリン酸およびパルミチン酸；ステアリン酸の塩およびパルミチン酸の塩；ステアリン酸およびパルミチン酸の塩；ステアリン酸の塩およびパルミチン酸から選択される３０／７０〜７０／３０の範囲の比率の混合物を含むフォトスピード促進剤と、
（ｆ）有機溶媒と
を含む有機媒体中に分散したものを含むことを特徴とする光画像形成性組成物。
【請求項２】
前記組成物が乾燥されて揮発性溶媒が除去されていることを特徴とする、請求項１に記載の組成物のキャスト層を含むシート。
【請求項３】
前記組成物が加熱されて、前記有機媒体が実質的に除去され、前記無機材料が実質的に焼結されていることを特徴とする、請求項１に記載の組成物のキャスト層を含む物品。
【請求項４】
光画像形成性組成物であって、
（Ｉ）無機材料の微粉砕粒子であり、
（ａ）導電性粒子、抵抗性粒子、および誘電性粒子から選択される機能相粒子と、
（ｂ）ガラス転移温度が３２５〜６００℃の範囲にあり、表面積の重量に対する比が１０ｍ２／ｇ以下であり、粒子の少なくとも８５重量％が０．１〜１０μｍの粒径を有する無機バインダーと
を含む微粉砕粒子が、
（ＩＩ）有機媒体であり、
（ｃ）コポリマー、インターポリマー、またはそれらの混合物である有機ポリマーバインダーであり、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記コポリマー、インターポリマー、または混合物は、全ポリマー重量の少なくとも１０重量％の酸含有率を有し、ガラス転移温度が５０〜１５０℃の範囲にあり、重量平均分子量が２，０００〜２５０，０００の範囲にある有機ポリマーバインダーと、
（ｄ）光硬化性モノマーと、
（ｅ）光開始系と、
（ｆ）フォトスピード促進剤であり、前記促進剤は、ステアリン酸およびパルミチン酸；ステアリン酸の塩およびパルミチン酸の塩；ステアリン酸およびパルミチン酸の塩；ステアリン酸の塩およびパルミチン酸から選択される３０／７０〜７０／３０の範囲の比率の混合物を含むフォトスピード促進剤と、
（ｇ）有機溶媒と、
を含む有機媒体中に分散したものを含むことを特徴とする光画像形成性組成物。
【請求項５】
前記組成物が乾燥されて揮発性溶媒が除去されていることを特徴とする、請求項４に記載の組成物のキャスト層を含むシート。
【請求項６】
前記組成物が加熱されて、前記有機媒体が実質的に除去され、前記無機材料が実質的に焼結されていることを特徴とする、請求項４に記載の組成物のキャスト層を含む物品。
【手続補正２】
【補正対象書類名】明細書
【補正対象項目名】００４４
【補正方法】変更
【補正の内容】
【００４４】
記録されるウェッジステップ数は、試験される組成物で５０％を超える部分が覆われる最も大きな数字のステップである。
以下に、本発明の好ましい態様を示す。
１．  光画像形成性組成物であって、
（Ｉ）無機材料の微粉砕粒子であり、
（ａ）導電性粒子、抵抗性粒子、および誘電性粒子から選択される機能相粒子と、
（ｂ）ガラス転移温度が３２５〜６００℃の範囲にあり、表面積の重量に対する比が１０ｍ２／ｇ以下であり、粒子の少なくとも８５重量％が０．１〜１０μｍの粒径を有する無機バインダーと
を含む微粉砕粒子が、
（ＩＩ）有機媒体であり、
（ｃ）コポリマー、インターポリマー、またはそれらの混合物である水性現像可能な光架橋性ポリマーであり、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記カルボン酸含有部分の２〜２０％が、第１および第２の官能性単位を有する反応性分子と反応し、前記第１の官能性単位はビニル基であり、前記第２の官能性単位は、前記カルボン酸部分と反応することによって化学結合を形成して、全ポリマー重量の少なくとも１０重量％の酸含有率を有し、ガラス転移温度が５０〜１５０℃の範囲にあり、重量平均分子量が２，０００〜２５０，０００の範囲にある前記コポリマー、インターポリマー、または混合物を形成することができる水性現像可能な光架橋性ポリマーと、
（ｄ）光開始系と、
（ｅ）フォトスピード促進剤(photospeed enhancer)であり、前記促進剤は、ステアリン酸およびパルミチン酸；ステアリン酸の塩およびパルミチン酸の塩；ステアリン酸およびパルミチン酸の塩；ステアリン酸の塩およびパルミチン酸から選択される３０／７０〜７０／３０の範囲の比率の混合物を含むフォトスピード促進剤と、
（ｆ）有機溶媒と
を含む有機媒体中に分散したものを含むことを特徴とする光画像形成性組成物。
２．  前記フォトスピード促進剤が、前記機能相粒子を基準にして０．１〜１重量％の範囲内で存在することを特徴とする１．に記載の組成物。
３．  前記反応性分子が、エポキシド基またはヒドロキシ基を含有することを特徴とする１．に記載の組成物。
４．  光硬化性モノマーをさらに含むことを特徴とする１．に記載の組成物。
５．  前記組成物がスクリーン印刷に好適なペースト粘稠性であることを特徴とする１．に記載の組成物。
６．  前記組成物が乾燥されて揮発性溶媒が除去されていることを特徴とする、１．に記載の組成物のキャスト層を含むシート。
７．  前記組成物が加熱されて、前記有機媒体が実質的に除去され、前記無機材料が実質的に焼結されていることを特徴とする、１．に記載の組成物のキャスト層を含む物品。
８．  光画像形成性組成物であって、
（Ｉ）無機材料の微粉砕粒子であり、
（ａ）導電性粒子、抵抗性粒子、および誘電性粒子から選択される機能相粒子と、
（ｂ）ガラス転移温度が３２５〜６００℃の範囲にあり、表面積の重量に対する比が１０ｍ２／ｇ以下であり、粒子の少なくとも８５重量％が０．１〜１０μｍの粒径を有する無機バインダーと
を含む微粉砕粒子が、
（ＩＩ）有機媒体であり、
（ｃ）コポリマー、インターポリマー、またはそれらの混合物である有機ポリマーバインダーであり、各コポリマーまたはインターポリマーは、（１）Ｃ１〜１０アルキルメタクリレート、Ｃ１〜１０アルキルアクリレート、スチレン、置換スチレン、またはそれらの組み合わせを含む非酸性コモノマーと、（２）エチレン系不飽和カルボン酸含有部分を含む酸性コモノマーとを含み、前記コポリマー、インターポリマー、または混合物は、全ポリマー重量の少なくとも１０重量％の酸含有率を有し、ガラス転移温度が５０〜１５０℃の範囲にあり、重量平均分子量が２，０００〜２５０，０００の範囲にある有機ポリマーバインダーと、
（ｄ）光硬化性モノマーと、
（ｅ）光開始系と、
（ｆ）フォトスピード促進剤であり、前記促進剤は、ステアリン酸およびパルミチン酸；ステアリン酸の塩およびパルミチン酸の塩；ステアリン酸およびパルミチン酸の塩；ステアリン酸の塩およびパルミチン酸から選択される３０／７０〜７０／３０の範囲の比率の混合物を含むフォトスピード促進剤と、
（ｇ）有機溶媒と、
を含む有機媒体中に分散したものを含むことを特徴とする光画像形成性組成物。
９．  前記フォトスピード促進剤が、前記機能相粒子を基準にして０．１〜１重量％の範囲内で組成物中に存在することを特徴とする８．に記載の組成物。
１０．  前記組成物がスクリーン印刷に好適なペースト粘稠性であることを特徴とする８．に記載の組成物。
１１．  前記組成物が乾燥されて揮発性溶媒が除去されていることを特徴とする、８．に記載の組成物のキャスト層を含むシート。
１２．  前記組成物が加熱されて、前記有機媒体が実質的に除去され、前記無機材料が実質的に焼結されていることを特徴とする、８．に記載の組成物のキャスト層を含む物品。